(57)【要約】【課題】  呼出操作するための複数のセンサを備えたナースコール子機において、故障しているセンサを使用する設定にした場合に警報を発して通知し、使用できないことを認識させる機能を備えたナースコール子機を提供する。【解決手段】  それぞれのセンサ２ａ〜２ｄに対して故障していないか検査する検査回路１８ａと、能動状態とするセンサを選択して設定する設定部６と、警報音を鳴動させるスピーカ５と、検査結果を表示するセンサ状態表示部７を設け、検査回路１８ａは、所定時間毎に検査を実施し、検査結果をセンサ状態表示部７に表示すると共に、故障していると判断したセンサが設定部６により選択された場合、及び選択されて能動状態のセンサが故障した場合にスピーカ５から警報音を鳴動させる。【選択図】  図２
2010104594.tif 000002
【特許請求の範囲】
【請求項１】
呼気センサやタッチセンサ等の異なる種類の呼出手段と、前記呼出手段の何れかが操作されたら呼出信号を外部に送出するためのインターフェースとを備えて、ベッド上の患者が看護師を呼び出すために使用されるナースコール子機であって、
前記呼出手段のそれぞれに対して故障していないか検査する検査回路と、能動状態とする呼出手段を選択して設定する設定部と、警報音を鳴動させる報音部とを有し、
前記検査回路は、所定時間毎に検査を実施し、故障していると判断した呼出手段が前記設定部により選択された場合に、前記報音部から警報音を鳴動させることを特徴とするナースコール子機。
【請求項２】
呼気センサやタッチセンサ等の異なる種類の呼出手段と、前記呼出手段の何れかが操作されたら呼出信号を外部に送出するためのインターフェースとを備えて、ベッド上の患者が看護師を呼び出すために使用されるナースコール子機であって、
前記呼出手段のそれぞれに対して故障していないか検査する検査回路と、能動状態とする呼出手段を選択して設定する設定部と、警報音を鳴動させる報音部とを有し、
前記検査回路は、所定時間毎に検査を実施し、故障していると判断した呼出手段が既に選択されて能動状態にある場合は、前記報音部から警報音を鳴動させ、能動状態にない場合は前記報音部を鳴動させないことを特徴とするナースコール子機。
【請求項３】
呼気センサやタッチセンサ等の異なる種類の呼出手段と、前記呼出手段の何れかが操作されたら呼出信号を外部に送出するためのインターフェースとを備えて、ベッド上の患者が看護師を呼び出すために使用されるナースコール子機であって、
前記呼出手段が故障していないか検査する検査回路と、能動状態とする呼出手段を選択して設定する設定部と、警報音を鳴動させる報音部とを有し、
前記検査回路は、前記設定部により選択されて能動状態にある呼出手段のみ検査を実施し、呼出手段の故障を検出したら前記報音部から警報音を鳴動させることを特徴とするナースコール子機。
【請求項４】
前記検査回路は、能動状態の前記呼出手段の故障を検出したら、前記インターフェースから外部に警報信号を送出することを特徴とする請求項２又は３記載のナースコール子機。
【請求項５】
前記検査回路の検査結果を表示するセンサ状態表示部を有することを特徴とする請求項１乃至４の何れかに記載のナースコール子機。
【発明の詳細な説明】
【技術分野】
【０００１】
本発明は、病院の個々のベッドに対して看護師を呼び出すために設置されるナースコール子機に関し、特に呼気やタッチ操作等、ボタン押下以外の方法で呼出操作を行なうことができるナースコール子機に関する。
【背景技術】
【０００２】
従来から、呼気の検知やタッチ操作等、ボタンの押下操作以外の方法で呼出操作を行なうナースコール子機がある。例えば、特許文献１に記載されたナースコール子機は、患者の口元にセンサヘッドを配置し、そのセンサヘッドにタッチセンサやブレスセンサ（呼気センサ）、光センサ等を設け、何れかのセンサが感知動作したら呼出信号を生成するよう構成されている。こうして、１台のナースコール子機に複数種類の特殊呼出手段を設けることで、患者の病状毎に複数の特殊呼出手段を用意する必要が無くなり、患者及び看護師の双方にとって便利なものであった。
【特許文献１】特開２００５−１５２０４７号公報
【発明の開示】
【発明が解決しようとする課題】
【０００３】
しかしながら、上記複数の特殊呼出手段を備えた従来のナースコール子機は、押しボタン式のように機械式ではないし、僅かな変化を検知するよう構成されているため、故障し易い問題があった。ただし、幸いにして複数のセンサを備えているので、最低限所望するセンサが正常に動作すれば使用を継続できるため、一部のセンサが故障したままでも引き続き使用される場合が多かった。
このような背景から、使用する患者に合わせて看護師等がナースコール子機をセットする際に、故障しているセンサを使用する設定としてしまい、患者が呼出操作しても看護師の呼び出しができない事態が発生する問題があった。
【０００４】
そこで、本発明はこのような問題点に鑑み、呼出操作するための複数のセンサを備えたナースコール子機において、故障しているセンサを使用する設定にした場合に警報を発して通知し、使用できないことを認識させる機能を備えたナースコール子機を提供することを目的としている。
【課題を解決するための手段】
【０００５】
上記課題を解決する為に、請求項１の発明は、呼気センサやタッチセンサ等の異なる種類の呼出手段と、呼出手段の何れかが操作されたら呼出信号を外部に送出するためのインターフェースとを備えて、ベッド上の患者が看護師を呼び出すために使用されるナースコール子機であって、呼出手段のそれぞれに対して故障していないか検査する検査回路と、能動状態とする呼出手段を選択して設定する設定部と、警報音を鳴動させる報音部とを有し、検査回路は、所定時間毎に検査を実施し、故障していると判断した呼出手段が設定部により選択された場合に、報音部から警報音を鳴動させることを特徴とする。
この構成によれば、故障した呼出手段がある場合に、その呼出手段が選択されたら警報音が鳴動されるため、誤って故障した呼出手段を使用するのを防止できる。また、定期的に自動で診断を行うため、故障した呼出手段がある場合には確実にそれを検出して報知するので、手動操作で診断する場合のように、検査自体をし忘れるような問題を防ぐことができる。
【０００６】
請求項２の発明は、呼気センサやタッチセンサ等の異なる種類の呼出手段と、呼出手段の何れかが操作されたら呼出信号を外部に送出するためのインターフェースとを備えて、ベッド上の患者が看護師を呼び出すために使用されるナースコール子機であって、呼出手段のそれぞれに対して故障していないか検査する検査回路と、能動状態とする呼出手段を選択して設定する設定部と、警報音を鳴動させる報音部とを有し、検査回路は、所定時間毎に検査を実施し、故障していると判断した呼出手段が既に選択されて能動状態にある場合は、報音部から警報音を鳴動させ、能動状態にない場合は報音部を鳴動させないことを特徴とする。
この構成によれば、使用中の呼出手段が故障した場合は、警報音の鳴動により患者や看護師が速やかにそれを認識できるので、患者が呼出操作したにも拘わらず呼び出しが通知されない事態を防ぐことができる。また、故障した呼出手段が使用されていなければ警報を鳴動しないので、緊急度の低い警報鳴動は行われない。よって、不必要な警報音により患者に不安を抱かせるのを防止することができる。
【０００７】
請求項３の発明は、呼気センサやタッチセンサ等の異なる種類の呼出手段と、呼出手段の何れかが操作されたら呼出信号を外部に送出するためのインターフェースとを備えて、ベッド上の患者が看護師を呼び出すために使用されるナースコール子機であって、呼出手段が故障していないか検査する検査回路と、能動状態とする呼出手段を選択して設定する設定部と、警報音を鳴動させる報音部とを有し、検査回路は、設定部により選択されて能動状態にある呼出手段のみ検査を実施し、呼出手段の故障を検出したら報音部から警報音を鳴動させることを特徴とする。
この構成によれば、使用中の呼出手段が故障した場合は、警報音の鳴動により患者や看護師が速やかにそれを認識できるので、患者が呼出操作したにも拘わらず呼び出しが通知されない事態を防ぐことができる。また、使用されない呼出手段に対しては検査しないため、効率の良い検査を実施できる。
【０００８】
請求項４の発明は、請求項２又は３に記載のナースコールシステムにおいて、検査回路は、能動状態の呼出手段の故障を検出したら、インターフェースから外部に警報信号を送出することを特徴とする。
この構成によれば、使用中の呼出手段が故障したら、呼出信号と同様に外部に信号を信号を出力するので、ナースコール親機でも警報発報を行わせることができ、速やかに看護師に通知することが可能となる。
【０００９】
請求項５の発明は、請求項１乃至４の何れかに記載の発明において、検査回路の検査結果を表示するセンサ状態表示部を有することを特徴とする。
この構成によれば、呼出手段に故障しているものがあれば表示により通知されるので、警報音等の音以外で故障を認識できる。そのため、警報音の鳴動を止めた状態でも呼出手段の故障を判断することができる。
【発明の効果】
【００１０】
本発明によれば、故障した呼出手段がある場合、その呼出手段が選択されたら警報音を鳴動するため、誤って故障した呼出手段を使用するのを防止できる。また、使用中の呼出手段が故障した場合は、警報音の鳴動により患者や看護師が速やかにそれを認識できるので、患者が呼出操作したにも拘わらず呼び出しが通知されない事態を防ぐことができる。
【発明を実施するための最良の形態】
【００１１】
以下、本発明を具体化した実施の形態を、図面に基づいて詳細に説明する。図１は、本発明に係るナースコール子機の正面説明図を示し、１は本体を構成するケース、２は呼出手段を構成する複数のセンサを備えたセンサ部、３はセンサ部２の位置や角度の変更を可能とするためにケース１から延びたフレキシブルアーム、４はマイク、５はスピーカ、６は各センサのうち何れのセンサを使用するかを設定する設定部、７は個々のセンサが正常が故障状態にあるかを表示するセンサ状態表示部である。
【００１２】
センサ部２には、呼気を検出する呼気センサ２ａ、指先等の接触を検知するタッチセンサ２ｂ、手等が翳されたことを検出する光センサ２ｃ、音声や音を検出する音声センサ２ｄが取り付けられている。このように、本発明のナースコール子機は、手が不自由である等で通常の押しボタン式のナースコール子機の操作が難しい患者に対してベッド脇に設置して使用され、患者に最も好ましいセンサが選択されて使用される。
また、センサ状態表示部７は、これらのセンサに合わせて、呼気センサ表示部７ａ、タッチセンサ表示部７ｂ、光センサ表示部７ｃ、音声センサ表示部７ｄが設けられ、それぞれ青色ＬＥＤと赤色ＬＥＤが組み込まれている。
【００１３】
図２はこのナースコール子機に廊下灯及びナースコール親機を加えたナースコールシステムを示し、それぞれの要部を回路ブロック図で示している。１０がナースコール子機、１１が廊下灯、１２がナースコール親機であり、ナースコール子機１０は病室の必要とされる患者に対して設置され、廊下灯１１は病室前に設置され、ナースコール親機１２はナースステーションに設置される。
この図２に示すように、ナースコール子機１０は、センサ部２、設定部６、センサ状態表示部７の他に、センサ動作を検出して呼出操作を判断する検出部１５、廊下灯１１と通信するためのインターフェースである子機ＩＦ１６、ナースコール親機１２との間で通話するための図１に示すマイク４及びスピーカ５を備えた通話部１７、各センサが正常動作しているか否かを検査する検査回路１８ａを具備すると共にナースコール子機１０全体を制御する子機ＣＰＵ１８等を備えている。
【００１４】
また検出部１５は、呼気センサ２ａの出力信号から呼び出しを判断する息検出部１５ａ、タッチセンサ２ｂの出力信号から呼び出しを判断するタッチセンサ検出部１５ｂ、光センサ２ｃの出力信号から呼び出しを判断する光センサ検出部１５ｃ、音声センサ２ｄの出力信号から呼び出しを判断する音声検出部１５ｄを備えている。
検査回路１８ａは、図示しないダミー信号出力部をセンサ部２の個々のセンサ２ａ〜２ｄの直後に有し、このダミー信号出力部から信号を送出した際に、検出部１５が所定の閾値を越えて呼出発生と判断できる信号を受信できるかどうかで検査を実施している。
【００１５】
一方、廊下灯１１は、ナースコール子機１０による呼び出しを表示する呼出表示部２１、患者氏名等を表示する患者情報表示部２２、廊下灯１１を制御する廊下灯ＣＰＵ２３、ナースコール子機１０と通信するための第１インターフェース（第１ＩＦ）２４ａ、ナースコール親機１２と通信するための第２インターフェース（第２ＩＦ）２４ｂ等を備えている。
【００１６】
ナースコール親機１２は、ナースコール子機１０からの呼び出しを表示し、また患者情報を表示する表示部２７、ナースコール子機１０からの呼び出しを報知し、通話するための通話部２８、ナースコール親機１２の各部を制御する親機ＣＰＵ２９、廊下灯１１と通信する親機インターフェース（親機ＩＦ）３０等を備えている。そして、ナースコール子機１０は伝送線Ｌ１により廊下灯１１に接続され、廊下灯１１は廊下灯幹線Ｌ２によりナースコール親機１２に接続されている。
こうして、ナースコール子機１０から呼び出しが成されると、呼出信号が子機ＩＦ１６から廊下灯１１に出力され、廊下灯１１で呼出表示部２１の点灯等で呼び出しが表示される。そして、呼出信号は廊下灯１１からナースコール親機１２に伝送され、ナースコール親機１２において呼び出しが成される。この呼び出しを受けて、看護師がナースコール親機１２を操作して応答すると、患者と看護師の間で通話が可能となる。
【００１７】
このように構成されたナースコール子機１０の操作及び動作を以下説明する。本発明のナースコール子機１０は、まず患者の状態に合わせて使用するセンサのみを能動状態とする。その際、廊下灯１１と通信するために壁面等に設けられている子機コンセント（図示せず）に子機ＩＦ１６から延びた図示しない通信線を接続する。この接続操作により、ナースコール子機１０は子機コンセントから供給される電圧により起動して、子機ＣＰＵ１８の検査回路１８ａが各センサ２ａ〜２ｄの診断を開始する。この診断は、コンセント接続直後に実施され、その後は例えば１０分間隔で定期診断が実施される。
診断結果はセンサ状態表示部７に表示される。例えば、正常であることが確認できたセンサに対しては青色ＬＥＤが発光して正常表示が成され、故障と判断されたセンサに対しては赤色ＬＥＤが点灯或いは点滅して故障表示が成される。
【００１８】
この診断結果を受けて、ナースコール子機１０を設定する看護師は、ナースコール子機１０を使用する患者にとって最適なセンサがどれか１つ或いは複数のセンサを選択する。その際、選択するセンサが故障していないかをセンサ状態表示部７で確認し、故障していなければ設定部６を操作して使用するセンサを能動とする。このとき、誤って故障しているセンサを能動とした場合には、検査回路１８ａの制御により、通話部１７のスピーカ５から警報音が鳴動される。
【００１９】
故障したセンサを選択することなく正しく設定が成されたら、選択されたセンサは能動状態を継続し、患者がそのセンサ部２に触れる、息を吹き掛ける等の呼出行為を行なうと、それを検知して検出部１５が呼出検出信号を子機ＣＰＵ１８に送出する。この呼出検出信号を受けた子機ＣＰＵ１８は、子機ＩＦ１６、廊下灯１１を介して、ナースステーションに設置されたナースコール親機１２に呼出信号を送信する。
こうして呼び出しが実施された後は従来の呼出操作と同様であり、看護師がナースコール親機１２を応答操作することで、ナースコール子機１０とナースコール親機１２の間で通話路が形成され、看護師と病室内の患者で通話が可能となる。尚、通話路が形成されても通話できない状態にある患者に対しては、直接病室にまで行き処置することになる。
【００２０】
その後、使用中のナースコール子機１０に対しても、検査回路１８ａは能動状態の設定の有無に関わらず、センサ部２の各センサに対して定期的に診断を実施し、能動状態にあり使用中のセンサの故障を検知したら、センサ状態表示部７の該当する表示部の表示を故障表示に変更（赤色表示に変更）し、通話部１７のスピーカ５から警報音を鳴動させる。そして、子機ＩＦ１６、廊下灯１１を介してナースコール親機１２に異常発生信号を送信して、異常発生を通知する。この信号を受信した親機ＣＰＵ２９は、表示部２７に異常発生を表示させ、通話部２８から警報音を鳴動させる。
【００２１】
一方、使用中のナースコール子機において、定期診断により使用されない（能動状態でない）センサの故障を検出した場合は、センサ状態表示部７で故障表示を行うが、警報音の報音は実施しないし、ナースコール親機１２へも通知しない。
【００２２】
このように、故障した呼出手段がある場合に、その呼出手段が選択されたら警報音が鳴動されるため、誤って故障した呼出手段を使用するのを防止できる。また、定期的に自動で診断を行うため、故障した呼出手段がある場合には確実にそれを検出して報知するので、手動操作で診断する場合のように、検査自体をし忘れるような問題を防ぐことができる。
また、使用中のセンサが故障した場合は、警報音により患者や看護師が速やかにそれを認識できるので、患者が呼出操作したにも拘わらず呼び出しが通知されない事態を防ぐことができる。そして、故障した呼出手段が使用されていなければ警報を鳴動しないので、緊急度の低い警報鳴動は行われない。よって、不必要な警報音により患者に不安を抱かせるのを防止することができる。
更に、使用中のセンサが故障したら、呼出信号と同様に外部に信号を信号を出力するので、ナースコール親機でも警報発報を行わせることができ、速やかに看護師に通知することができる。
また、センサに故障しているものがあれば表示により通知されるので、警報音等の音以外で故障を認識できる。そのため、警報音の鳴動を止めた状態でも呼出手段の故障を判断することができる。
【００２３】
尚、上記実施形態では、故障しているセンサが選択されたら、警報音を発して選択しないよう促す構成となっているが、故障しているセンサを選択できないよう制御しても良く、警報音を鳴動させなくても選択されることが無くなるし、警報音発生により患者に対して不必要な不安を与えるのを防止できる。
また、センサの使用／未使用の状態に関わらず、全てのセンサ２ａ〜２ｄに対して定期診断を実施しているが、センサの選択操作後は、選択されて能動状態にあるセンサのみ定期診断を実施しても良い。この場合、使用されない呼出手段に対しては検査しないため、効率の良い検査を実施できる。
更に、フレキシブルアーム３の先にはセンサ部２のみ設け、通話部１７はケース１に設けているが、通話部１７のマイク４もフレキシブルアーム３の先端に配置しても良く、患者の音声を集音し易くなる。
【図面の簡単な説明】
【００２４】
【図１】本発明に係るナースコール子機の一例を示す正面説明図である。
【図２】図１のナースコール子機に廊下灯及びナースコール親機を加えたナースコールシステムの回路ブロック図である。
【符号の説明】
【００２５】
２・・センサ部、２ａ・・呼気センサ（呼出手段）、２ｂ・・タッチセンサ（呼出手段）、２ｃ・・光センサ（呼出手段）、２ｄ・・音声センサ（呼出手段）、５・・スピーカ（報音部）、６・・設定部、７・・センサ状態表示部、１０・・ナースコール子機、１５・・検出部、１６・・子機ＩＦ（インターフェース）、１７・・通話部、１８・・子機ＣＰＵ、１８ａ・・検査回路。
【図１】
2010104594.tif 000003
【図２】
2010104594.tif 000004